(57)【特許請求の範囲】
【請求項１】
複数のユーザの画像を撮像する撮像部と、
前記複数のユーザの携帯電話とそれぞれ接続する複数の携帯電話差込口と、
前記複数の携帯電話差込口と接続している前記複数の携帯電話のそれぞれから電話番号を取得し、前記複数の携帯電話のそれぞれがいずれの前記携帯電話差込口と接続しているかを示す複数の位置情報を作成する携帯電話通信部と、
前記電話番号と前記位置情報とを対応付けて保持する個人認証データメモリと、
前記撮像部が撮像した前記画像、並びに前記個人認証データメモリが保持している前記電話番号および前記位置情報を、サーバシステムに送信するサーバ通信部と
を備える撮像システム。
【請求項２】
前記個人認証データメモリが保持している前記電話番号と前記位置情報とに対応する順番に、前記複数のユーザが並ぶ旨を示す配列情報を送信する制御部と、
前記制御部が送信した前記配列情報を表示し、前記複数のユーザが並ぶ順番を指示するＬＣＤモニタと
をさらに備える請求項１に記載の撮像システム。
【請求項３】
前記ユーザのプロフィールを入力するプロフィール入力部と、
前記ユーザの前記プロフィールを保持するプロフィールメモリと
をさらに備え、
前記制御部は、前記プロフィールと前記電話番号を対応付ける
請求項２に記載の撮像システム。
【請求項４】
前記サーバ通信部は、前記個人認証データメモリが保持している前記電話番号との対応を認識可能な状態で、前記撮像部が撮像した前記画像、および前記プロフィールメモリが保持している前記プロフィールを前記サーバシステムに送信する
請求項３に記載の撮像システム。
【請求項５】
前記制御部は、前記電話番号、前記画像、および前記プロフィールから、通信網を介して公開すべき公開内容を指定する公開指定情報を作成して前記サーバ通信部に送信する
請求項４に記載の撮像システム。
【請求項６】
前記携帯電話通信部は、前記撮像部が撮像した前記画像を前記携帯電話の壁紙として利用可能に前記携帯電話に送信する
請求項１乃至請求項５のいずれかに記載の撮像システム。
【請求項７】
音声を入力するマイクと、
前記マイクが入力した前記音声の音声データを保持する音声データメモリと
をさらに備え、
前記制御部は、前記音声データと前記電話番号とを対応付ける
請求項１乃至請求項６のいずれかに記載の撮像システム。
【請求項８】
ユーザに関する情報を格納するサーバシステムと、前記サーバシステムと通信可能な少なくとも１つの撮像システムとを備える通信システムであって、
前記撮像システムは、
複数のユーザの画像を撮像する撮像部と、
前記複数のユーザの携帯電話とそれぞれ接続する複数の携帯電話差込口と、
前記複数の携帯電話差込口と接続している前記複数の携帯電話のそれぞれから電話番号を取得し、前記複数の携帯電話のそれぞれがいずれの前記携帯電話差込口と接続しているかを示す複数の位置情報を作成する携帯電話通信部と、
前記電話番号と前記位置情報とを対応付けて保持する個人認証データメモリと、
前記撮像部が撮像した前記画像、並びに前記個人認証データメモリが保持している前記電話番号および前記位置情報を、前記サーバシステムに送信するサーバ通信部と
を備える通信システム。
【請求項９】
前記撮像システムは、
前記個人認証データメモリが保持している前記電話番号と前記位置情報とに対応する順番に、前記複数のユーザが並ぶ旨を示す配列情報を送信する制御部と、
前記制御部が送信した前記配列情報を表示し、前記複数のユーザが並ぶ順番を指示するＬＣＤモニタと
をさらに備える請求項８に記載の通信システム。
【請求項１０】
前記撮像システムは、
前記ユーザのプロフィールを入力するプロフィール入力部と、
前記ユーザの前記プロフィールを保持するプロフィールメモリと
をさらに備え、
前記制御部は、前記プロフィールと前記電話番号を対応付ける
請求項９に記載の通信システム。
【請求項１１】
前記サーバ通信部は、前記個人認証データメモリが保持している前記電話番号との対応を認識可能な状態で、前記撮像部が撮像した前記画像、および前記プロフィールメモリが保持している前記プロフィールを前記サーバシステムに送信する
請求項１０に記載の通信システム。
【請求項１２】
前記制御部は、前記電話番号、前記画像、および前記プロフィールから、通信網を介して公開すべき公開内容を指定する公開指定情報を作成して前記サーバ通信部に送信する
請求項１１に記載の通信システム。
【請求項１３】
前記携帯電話通信部は、前記撮像部が撮像した前記画像を前記携帯電話の壁紙として利用可能に前記携帯電話に送信する
請求項８乃至請求項１２のいずれかに記載の通信システム。
【請求項１４】
音声を入力するマイクと、
前記マイクが入力した前記音声の音声データを保持する音声データメモリと
をさらに備え、
前記制御部は、前記音声データと前記電話番号とを対応付ける
請求項８乃至請求項１３のいずれかに記載の通信システム。
【請求項１５】
前記サーバシステムは、
前記撮像システムから、前記画像、前記電話番号、および前記位置情報を受信する撮像システム通信部と、
前記画像、前記電話番号、および前記位置情報を対応づけて保持するユーザ情報保持部と
を備える請求項８乃至請求項１４のいずれかに記載の通信システム。
【請求項１６】
前記撮像システムから、前記画像、前記電話番号、前記位置情報、および前記プロフィールを受信する撮像システム通信部と、
前記画像、前記電話番号、前記位置情報、および前記プロフィールを対応づけて保持するユーザ情報保持部と
を備える請求項１０乃至請求項１２のいずれかに記載の通信システム。
【請求項１７】
前記サーバシステムは、
前記ユーザ情報保持部に保持された前記電話番号または前記画像の検索条件を受け付ける検索条件受付部と、
前記検索条件にヒットする電話番号、前記画像および前記位置情報を抽出するユーザ情報抽出部と
をさらに備え、
前記撮像システム通信部は、抽出された前記電話番号、前記画像、および前記位置情報を前記撮像システムに送信する
請求項１５に記載の通信システム。
【請求項１８】
前記ユーザ情報保持部に保持された前記電話番号、前記画像、または前記プロフィールの検索条件を受け付ける検索条件受付部と、
前記検索条件にヒットする電話番号、前記画像、前記プロフィール、および前記位置情報を抽出するユーザ情報抽出部と
をさらに備え、
前記撮像システム通信部は、抽出された前記電話番号、前記画像、前記プロフィール、および前記位置情報を前記撮像システムに送信する
請求項１６に記載の通信システム。
【請求項１９】
前記ユーザ情報保持部は、通信網を介して公開すべき公開内容が指定された公開指定情報をさらに保持し、
前記ユーザ情報抽出部は、前記プロフィールのうち公開内容および非公開内容に基づいて前記電話番号、前記画像、前記プロフィール、および前記位置情報を抽出する
請求項１８に記載の通信システム。
【請求項２０】
前記ユーザ情報保持部は、前記電話番号および前記画像を閲覧する閲覧ユーザのユーザ情報を保持し、
前記サーバシステムは、
前記複数のユーザの携帯電話に、前記閲覧ユーザのユーザ情報を送信する携帯電話通信部
をさらに備える請求項１７乃至請求項１９のいずれかに記載の通信システム。
【請求項２１】
前記ユーザ情報保持部は、前記電話番号、前記画像、および前記プロフィールを閲覧する閲覧ユーザのユーザ情報を保持し、
前記サーバシステムは、
前記複数のユーザの携帯電話に、前記ユーザ情報を送信する携帯電話通信部
をさらに備える請求項１７乃至請求項１９のいずれかに記載の通信システム。
【請求項２２】
前記サーバシステムは、
前記ユーザ情報保持部が既に保持している前記電話番号に対応する新たな画像を前記撮像システム通信部が受信した場合に、前記ユーザ情報保持部が保持している前記電話番号に対応する画像を削除するユーザ情報監視部
をさらに備える請求項１５乃至請求項２１のいずれかに記載の通信システム。
【請求項２３】
前記サーバシステムは、
前記ユーザ情報保持部が既に保持している前記電話番号に対応する新たなプロフィールを前記撮像システム通信部が受信した場合に、前記ユーザ情報保持部が保持している前記電話番号に対応するプロフィールを削除するユーザ情報監視部
をさらに備える請求項１８乃至請求項２１のいずれかに記載の通信システム。
【発明の詳細な説明】
【０００１】
【発明の属する技術分野】
本発明は、撮像システム、サーバシステム、及び通信システムに関する。特に本発明は、ユーザの画像を撮像する撮像システム、及び撮像した画像を保持するサーバシステム、並びに、これら撮像システム及びサーバシステムによって構成される通信システムに関する。
【０００２】
【従来の技術】
従来、ユーザ間の情報交換を電子的に仲介する情報交換仲介装置が知られている。例えば、特開平１０−２３２８９３号公報は、インターネット上でＷＷＷサーバとしてユーザ間の情報交換を仲介する装置を開示している。
【０００３】
また、近年、携帯電話が急速に普及し、ビジネスツール、及びコミュニケーションツールとして幅広い層のユーザに利用されている。
【０００４】
【発明が解決しようとする課題】
しかし、情報交換を行う場合、ユーザの希望にマッチした情報を提供することが重要であり、より希望に添った情報を提供することが望まれている。また、情報公開による個人情報の流出が問題となっていた。
【０００５】
そこで本発明は、上記の課題を解決することのできる撮像システム、サーバシステム、及び通信システムを提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、ユーザに関する情報を格納するサーバシステムと通信網を介して通信可能な撮像システムであって、前記ユーザの画像を撮像する撮像部と、前記ユーザの携帯電話と通信する携帯電話通信部と、前記携帯電話通信部を介して前記ユーザを識別する個人認証データを取得する個人認証データ取得部と、前記画像と前記個人認証データを対応付けるデータ識別部とを備える。
【０００７】
前記ユーザのプロフィールを入力するプロフィール入力部をさらに備えてもよい。前記データ識別部は、前記プロフィールと前記個人認証データを対応付けてもよい。
【０００８】
前記個人認証データとの対応を認識可能な状態で、前記画像及び前記プロフィールのうち少なくとも一方を前記サーバに送信するサーバ通信部をさらに備えてもよい。
【０００９】
前記個人認証データ、前記画像データ、及び前記プロフィールから前記通信網を介して公開すべき公開内容を指定する公開内容指定部をさらに備えてもよい。
【００１０】
前記個人認証データは、前記携帯電話の電話番号であってもよい。
【００１１】
前記携帯電話通信部は、前記撮像部が撮像した前記画像を前記携帯電話の壁紙として利用可能に当該ユーザの携帯電話に送信してもよい。
【００１２】
音声を入力するマイクと、前記マイクが入力した音声の音声データを前記個人認証データに対応付ける音声データ識別部とをさらに備えてもよい。
【００１３】
前記撮像部は、複数のユーザを含むグループユーザの画像を撮像してもよい。前記プロフィール入力部は、前記グループユーザのプロフィールを入力してもよい。前記データ識別部は、前記画像と前記グループユーザの前記プロフィールを対応付けてもよい。
【００１４】
前記撮像部は、前記複数のユーザを含むグループユーザの画像を撮像してもよい。前記携帯通信部は、前記グループユーザの各ユーザが所有する複数の前記携帯電話と通信してもよい。前記個人認証データ取得部は、前記グループユーザの各ユーザから前記個人認証データを取得してもよい。前記データ識別部は、前記画像と前記各ユーザの前記個人認証データの組み合わせを対応付けてもよい。
【００１５】
前記携帯通信部が、前記複数の携帯電話と通信した場合に、前記グループユーザの各ユーザの前記個人認証データと対応する順番に、前記各ユーザが並ぶ旨を前記各ユーザに示す指示部をさらに備えてもよい。
【００１６】
複数の前記携帯電話を接続する携帯電話差込口をさらに備えてもよい。前記携帯通信部は、前記携帯電話差込口を介して複数の前記携帯電話と通信してもよい。  前記指示部は、前記差込口の配設された位置に対応する順番に、前記ユーザが並ぶ旨を前記ユーザに示してもよい。
【００１７】
前記プロフィール入力部は、前記グループユーザの各ユーザの前記プロフィールをそれぞれ入力してもよい。前記データ識別部は、前記各ユーザの前記プロフィールと同一ユーザの個人認証データをそれぞれ対応付けてもよい。
【００１８】
本発明の第２の形態によると、通信網を介して撮像システムから前記撮像システムに登録した登録ユーザに関する情報を受信して保持するサーバシステムであって、前記登録ユーザを識別する個人認証データ、前記登録ユーザの画像、及び前記登録ユーザのプロフィールのうち少なくとも１つのデータを撮像システムから受信する撮像システム通信部と、登録ユーザを識別する個人認証データ、前記登録ユーザの画像、及び前記登録ユーザのプロフィールのうち少なくとも１つのデータを保持するユーザ情報保持部と、前記閲覧システムにおいて前記ユーザに関する情報を閲覧する閲覧ユーザから前記ユーザ情報格納部に格納された前記データの検索条件を受け付ける検索条件受付部と、前記検索条件受付部が受け付けた検索条件に基づいて前記ユーザ情報格納部に格納された前記公開内容及び前記公開内容以外の非公開内容から前記検索条件にヒットするデータを抽出するユーザ情報抽出部とを備える。前記撮像システム通信部は、前記ユーザ情報抽出部によって抽出された前記データを前記撮像システムに送信する。
【００１９】
前記ユーザ情報抽出部が抽出したデータのうち前記公開内容を抽出する公開内容抽出部をさらに備えてもよい。前記撮像システム通信部は、前記公開内容抽出部が抽出した前記公開内容を前記撮像システムへ送信してもよい。
【００２０】
前記ユーザ情報格納部に格納された前記データを前記通信網を介して複数のユーザに配信してもよい。
【００２１】
前記撮像システム通信部は、前記公開内容を指定する公開指定情報を受信してもよい。
【００２２】
前記ユーザ情報格納部は、前記閲覧ユーザの前記データを格納してもよい。前記検索条件受付部が、前記閲覧ユーザから前記検索条件を受け付け、前記ユーザ情報抽出部が、前記登録ユーザの前記データを抽出した場合に、前記登録ユーザの携帯電話に前記閲覧ユーザの前記データを送信する携帯電話通信部をさらに備えてもよい。
【００２３】
前記通信部が、複数のユーザを含むグループユーザの画像及び前記グループユーザのプロフィール受信した場合に、前記ユーザ情報格納部は、前記画像と前記グループユーザの前記プロフィールを対応付けて格納してもよい。
【００２４】
前記通信部が、前記グループユーザの各ユーザの個人認証データを受信した場合に、前記ユーザ情報格納部は、前記画像データと前記個人認証データの組み合わせを対応付けて格納してもよい。
【００２５】
前記通信部が、前記グループユーザの各ユーザの個人認証データを前記グループユーザの画像における位置を示す位置情報を受け取ってもよい。前記ユーザ情報格納部は、前記位置情報を格納してもよい。
【００２６】
前記ユーザ情報格納部が既に格納している前記個人認証データと対応付けられた前記画像及び／または前記プロフィールを前記通信部が受信した場合に、前記ユーザ情報格納部に保持される前記画像データ及び／または前記プロフィールを削除するユーザ情報監視部とをさらに備えてもよい。
【００２７】
前記個人認証データは、前記携帯電話の電話番号であってもよい。
【００２８】
本発明の第３の形態によると、通信網を介してユーザに関する情報を通信可能な通信システムであって、前記ユーザの情報を送信する撮像システムと、前記ユーザの情報を受信して保持するサーバシステムとを備える。前記撮像システムは、前記ユーザの画像を撮像する撮像部と、前記ユーザの携帯電話と通信する携帯電話通信部と、前記携帯電話通信部を介して前記ユーザを識別する個人認証データを取得する個人認証データ取得部と、前記ユーザの画像と前記個人認証データを対応付けるデータ識別部とを有する。前記サーバシステムは、前記ユーザを識別する個人認証データとの対応を認識可能な状態で、前記ユーザの画像を示す画像データ、及び前記ユーザのプロフィールのうち少なくとも一方を撮像システムから受信する撮像システム通信部と、前記撮像システム通信部から受け取った前記画像データ及び／または前記プロフィールと前記個人認証データを対応付けて格納するユーザ情報格納部とを有する。
【００２９】
なお上記の発明の概要は、本発明の必要な特徴の全てを列挙したものではなく、これらの特徴群のサブコンビネーションも又発明となりうる。
【００３０】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００３１】
図１は、通信システム全体の概略を示す図である。通信システムは、撮像システム１００ａ，ｂ及びサーバシステム２００を備える。撮像システム１００及びサーバシステム２００は、通信網３００を介して通信する。通信網は、例えばインターネット、電話回線など、複数の端末を接続する回線網である。撮像システム１００ａ，ｂは、ユーザの画像を撮像し、さらにユーザのプロフィールを入力する。撮像システム１００ａ，ｂは、ユーザの画像及びプロフィールなど、ユーザに関するユーザ情報をサーバシステム２００に送信する。サーバシステム２００は、撮像システム１００ａ，ｂからユーザ情報を受信して保持する。
【００３２】
撮像システム１００はまた、サーバシステム２００に保持されたユーザ情報をユーザに提供する。撮像システム１００は、ユーザから検索条件を受付け、検索条件をサーバシステム２００に送信する。サーバシステム２００は、検索条件に合致したユーザ情報を撮像システム１００に送信する。撮像システム１００は、サーバシステム２００から受信したユーザ情報をユーザに提供する。ユーザ情報の登録、及びユーザ情報の検索における撮像システム１００及びサーバシステム２００の詳細な動作は、図２以降で詳述する。
【００３３】
本実施の形態の通信システムは、複数の撮像システム１００で構成され、これらの撮像システム１００は、いずれも通信網３００を介してサーバシステム２００と通信する。撮像システム１００は、複数備えられているので、広い地域に分散して配置することができる。従って、ユーザは、場所の制限を受けずに撮像システム１００を利用することができる。また、全ての撮像システム１００が、通信網３００と通信しているので、各撮像システム１００は、各撮像システム１００から入力した全てのユーザ情報の中からユーザに提供すべきユーザ情報を抽出することができる。
【００３４】
図２は、撮像システム１００の外観を示す図である。撮像システム１００の前面に、携帯電話差込口１０４ａ，ｂ，ｃ、プリンタ１０６、マイク１０８が配設されている。携帯電話差込口１０４ａ，ｂ，ｃは、携帯電話４００と接続する。ユーザが、携帯電話差込口１０４ａ，ｂ，ｃに携帯電話４００を差し込むと、撮像システム１００は、携帯電話４００との通信を確立する。携帯電話差込口１０４ａ，ｂ，ｃは、３つ設けられているので、撮像システム１００は、３人のユーザと同時に通信することができる。
【００３５】
撮像システム１００は、携帯電話４００との通信が確立すると、ユーザの画像を撮像する。プリンタ１０６は、撮像したユーザ画像を出力する。操作部１１０は、ユーザからの入力を受け付ける。マイク１０８は、音声を入力する。ユーザは、これらを利用して、ユーザのプロフィール及び音声メッセージを入力することができる。撮像システム１００は、これらのデータをユーザ情報として登録する。
【００３６】
図３は、撮像システム１００の概略機能ブロック図である。撮像システム１００は、携帯電話差込口１０４ａ，ｂ，ｃ、携帯電話通信部１１２、個人認証データメモリ１１４、制御部１１６、操作部１１８、撮像ユニット１２０、画像メモリ１２２、音声データメモリ１２４、プロフィールメモリ１２６、公開内容メモリ１２８、検索条件メモリ１３０、サーバ通信部１３４、ＬＣＤモニタ１０２、及びプリンタ１０６を備える。本実施の形態の制御部１１６は、特許請求の範囲に記載の「データ識別部」、「音声データ識別部」、及び「公開内容指定部」を含む。制御部１１６は、ＲＯＭ及びＲＡＭなどを含む。上記「データ認識部」、「音声データ識別部」、及び「公開内容指定部」の機能は、ＣＰＵ、並びに、ＲＯＭ、ＲＡＭに格納されたソフトウエアによって提供され、ＣＰＵによって実行されてもよい。
【００３７】
携帯電話差込口１０４ａ，ｂ，ｃは、ユーザの携帯電話４００と接続する。携帯電話通信部１１２は、携帯電話差込口１０４ａ，ｂ，ｃを介して携帯電話４００と通信する。携帯電話通信部１１２は、携帯電話差込口１０４ａ，ｂ，ｃが同時に２または３つの携帯電話４００と接続可能である。このように、複数の携帯電話差込口１０４ａ，ｂ，ｃを有するので、複数の携帯電話４００と同時に通信することができる。
【００３８】
携帯電話通信部１１２は、通信が確立すると、携帯電話４００からユーザを識別する個人認証データを取得して、個人認証データメモリ１１４に送る。本実施の形態の個人認証データは、電話番号である。携帯電話通信部１１２はさらに、携帯電話差込口１０４ａ，ｂ，ｃのうちいずれの差込口と接続しているかを示す位置情報を作成して、個人認証データメモリ１１４に送る。個人認証データメモリ１１４は、携帯電話通信部１１２から電話番号及び位置情報を受け取り、電話番号と位置情報を対応付けて保持する。このように、電話番号と、個人認証データメモリ１１４は、携帯電話差込口１０４ａ，ｂ，ｃの位置を示す位置情報を対応付けて保持するので、複数の携帯電話４００と接続した場合でも、各携帯電話４００の電話番号と接続位置を識別することができる。
【００３９】
撮像ユニット１２０は、ユーザの画像を撮像し、ユーザ画像を画像メモリ１２２に送る。画像メモリ１２２は、ユーザ画像を保持する。操作部１１８は、ユーザからの指示を受け付け、入力された内容を制御部１１６に送る。マイク１０８は、音声を入力し、入力した音声メッセージを音声データメモリ１２４へ送る。音声データメモリ１２４は、マイク１０８から受け取った音声メッセージを保持する。
【００４０】
制御部１１６は、操作部１１８からの入力に基づいて、ユーザのプロフィールを作成し、プロフィールメモリ１２６に送る。プロフィールメモリ１２６は、受け取ったプロフィールを保持する。
【００４１】
制御部１１６は、個人認証データメモリ１１４に保持される電話番号、画像メモリ１２２に保持される画像、音声データメモリ１２４に保持される音声メッセージ、及びプロフィールメモリ１２６に保持されるプロフィールを抽出する。制御部１１６は、これらのデータから、通信網３００を介して公開すべき公開内容を指定し、公開すべき内容を指定する公開指定情報を作成する。制御部１１６は、公開指定情報を公開内容メモリ１２８に送る。公開内容メモリ１２８は、公開指定情報を保持する。
【００４２】
制御部１１６は、携帯電話差込口１０４ａ，ｂ，ｃの携帯が抜かれると、個人認証データメモリ１１４に保持される個人認証データ、画像メモリ１２２に保持される画像、音声データメモリ１２４に保持される音声メッセージ、プロフィールメモリ１２６に保持されるプロフィール、公開内容メモリ１２８に保持される公開指定情報をサーバ通信部１３４に送る。このように、個人認証データ、プロフィール、画像及び音声メッセージは連続して送られる。従って、制御部１１６は、１人のユーザに対応するユーザ情報を、いずれのユーザに対応するかを認識可能な状態で送ることができる。
【００４３】
制御部１１６は、さらに画像メモリ１２２から受け取った画像を携帯電話通信部１１２に送る。携帯電話通信部１１２は、制御部１１６から受け取った画像を携帯電話４００の壁紙として利用可能にユーザの携帯電話４００に送信する。
【００４４】
撮像システム１００が、検索に使用される場合、制御部１１６は、操作部１１８からの入力に基づいて検索条件を受け付ける。制御部１１６は、検索条件を検索条件メモリ１３０に送る。検索条件メモリ１３０は、検索条件を保持する。制御部１１６はまた、サーバ通信部１３４から検索結果を受け取ると、ＬＣＤモニタ１０２及びプリンタ１０６に送る。
【００４５】
サーバ通信部１３４は、制御部１１６から電話番号、画像、プロフィール、音声メッセージ、公開内容指定情報受け取ったデータをサーバシステム２００に送信する。サーバ通信部１３４はまた、サーバシステム２００から受信したデータを制御部１１６に送る。ＬＣＤモニタ１０２及びプリンタ１０６は、制御部１１６から受け取ったデータを出力する。
【００４６】
図４は、撮像システム１００の撮像ユニット１２０の機能ブロック図である。撮像ユニット１２０は、撮像部１４０、はめ込み部１４２、画像フレーム選択部１４４、及び画像フレーム保持部１４６を有する。
【００４７】
撮像部１４０は、画像を撮像し、撮像した画像をはめ込み部１４２に送る。画像フレーム保持部１４６は、複数の画像フレームを保持する。画像フレーム選択部１４４は、操作部１１８からの入力に基づいて画像フレーム保持部１４６に保持される画像フレームから画像フレームを選択する。画像フレーム選択部１４４は、選択した画像フレームをはめ込み部１４２に送る。はめ込み部１４２は、撮像部１４０から受け取った画像を、画像フレーム選択部１４４から受け取った画像フレームにはめ込んで画像データを作成する。
【００４８】
図５は、サーバシステム２００の概略機能ブロック図である。サーバシステム２００は、撮像システム通信部２０２、サーバシステム制御部２０４、ユーザ情報データベース２０６、プロフィールデータベース２０８、画像データベース２１０、音声データベース２１２、及び携帯電話通信部２１４を備える。本実施の形態のサーバシステム制御部２０４は、特許請求の範囲に記載した「検索条件受付部」、「ユーザ情報抽出部」、及び「公開内容抽出部」を含む。本実施の形態のサーバシステム制御部２０４は、ＲＯＭ及びＲＡＭなどを含む。上記「検索条件受付部」、「ユーザ情報抽出部」、及び「公開内容抽出部」の機能は、ＣＰＵ、並びに、ＲＯＭ、ＲＡＭに格納されたソフトウエアによって提供され、ＣＰＵによって実行されてもよい。
【００４９】
撮像システム通信部２０２は、撮像システム１００と送受信する。撮像システム通信部２０２は、個人認証データ、画像、及びプロフィールのうち少なくとも１つのデータを撮像システム１００から受信する。撮像システム通信部２０２は、公開指定情報及び位置情報をさらに受信する。
【００５０】
ユーザ情報データベース２０６は、電話番号に対応付けて、ユーザ情報に含まれるデータのファイル名を保持する。プロフィールデータベース２０８、画像データベース２１０、音声データベース２１２は、それぞれ、プロフィール、画像、音声メッセージを保持する。
【００５１】
サーバシステム制御部２０４は、撮像システム通信部２０２からユーザ情報を受け取り、ユーザ情報を識別するＩＤ番号を付与する。サーバシステム制御部２０４は、ＩＤ番号を付与したユーザ情報をユーザ情報データベース２０６、プロフィールデータベース２０８、画像データベース２１０、及び音声データベース２１２に送る。
【００５２】
サーバシステム制御部２０４はまた、撮像システム通信部２０２を介して受け取った検索条件に基づいて、ユーザ情報データベース２０６、プロフィールデータベース２０８、画像データベース２１０、及び音声データベース２１２に保持された公開内容、及び公開内容以外の非公開内容から検索条件にヒットするデータを含むユーザ情報を抽出する。サーバシステム制御部２０４は、さらに抽出ししたユーザ情報のうち、公開内容を抽出する。サーバシステム制御部２０４は、抽出した公開内容を撮像システム通信部２０２を介して、撮像システム１００に送信する。
【００５３】
携帯電話通信部２１４は、サーバシステム制御部２０４から受け取ったデータを所定の携帯電話に送信する。
【００５４】
図６は、ユーザ情報データベース２０６を模式的に示す図である。ユーザ情報のＩＤ番号、ユーザ情報に含まれる電話番号、位置情報、画像、プロフィール及び音声メッセージを対応付けて保持する。複数のユーザを含むグループユーザの画像は、グループユーザに含まれる各ユーザのユーザ情報と対応付けて保持される。グループユーザ登録の場合、グループユーザの画像に対して１つのＩＤが付与される。すなわち、グループユーザ情報に含まれる各ユーザのユーザ情報には、同一のＩＤが付与される。これによって、グループユーザに含まれる各ユーザの情報を対応付けて保持することができる。また、このように、ユーザ情報データベース２０６は、画像、プロフィール、及び音声メッセージのファイル名を、ＩＤ番号に対応付けて保持しているので、これらのデータの対応関係を認識することができる。
【００５５】
ユーザ情報データベース２０６はまた、グループユーザ情報に含まれる同一ＩＤを有する複数のユーザ情報を保持する場合、複数のユーザ情報の電話番号を比較し、電話番号を１１桁の数字とした場合に、小さい数字になる電話番号を含むユーザ情報から順に保持する。このように、規則的に保持するので、ユーザ情報データベース２０６に保持されたデータを検索する場合に、効率的に検索を行うことができる。
【００５６】
また、ユーザ情報データベース２０６に保持されるデータのうち、公開内容には、フラグが付与されている。これによって、サーバシステム制御部２０４は、公開すべき内容か否かを容易に判断することができる。
【００５７】
図７は、プロフィールデータベース２０８のデータ構成を模式的に示す図である。プロフィールデータベース２０８は、各ユーザのプロフィールとして、性別、生年月日、住所、性格、趣味、文字メッセージ、及び音声メッセージを保持する。これらは、ユーザの携帯電話の電話番号に対応付けられて保持される。このように、プロフィールデータは、電話番号に対応付けられて保持されている。このため、１人のユーザが複数のグループにおいて登録した場合に、同一のユーザのユーザ情報を重複して保持するのを避けることができる。従って、メモリを有効に利用することができる。
【００５８】
また、図に示すように、公開すべき内容には、フラグが付与されており、これによって、保持される内容から公開内容を容易に抽出することができる。
【００５９】
画像データベース２１０、音声データベース２１２に保持される画像データ及び音声メッセージのデータの構成は、図７を用いて説明したプロフィールデータベース２０８とほぼ同様である。すなわち、画像データベース２１０及び音声データベース２１２は、電話番号に対応付けて、画像及び音声メッセージ２を保持する。
【００６０】
図８は、画像を撮像し、ユーザ登録を行う場合の、撮像システム１００の動作を示すフローチャートである。携帯電話差込口１０４ａ，ｂ，ｃに携帯電話４００が挿入されると、撮像システム１００の動作が開始する。携帯電話通信部１１２は、携帯電話差込口１０４ａ，ｂ，ｃに挿入された携帯電話との通信を確立する（Ｓ１００）。
【００６１】
次に、撮像ユニット１２０は、撮像システム１００の前に並んだユーザの画像を撮像する（Ｓ１０２）。次に、ユーザ登録を行う場合は（Ｓ１０４）は、ユーザは、操作部１１８を介してユーザ情報を入力する（Ｓ１０６）。Ｓ１０４で、ユーザ登録を行わない場合は、Ｓ１１０にジャンプする。
【００６２】
ユーザ情報の入力が完了すると、サーバ通信部１３４は、ユーザ情報をサーバ通信部１３４を介してサーバシステム２００に送信する（Ｓ１０８）。次に、制御部１１６は、画像メモリ１２２に保持された画像を受け取って、プリンタ１０６に送る。プリンタ１０６は、受け取った画像をプリントする（Ｓ１１０）。次に、制御部１１６は、画像メモリ１２２に保持された画像を携帯電話４００の壁紙として、携帯電話通信部１１２を介して携帯電話４００に送る（Ｓ１１２）。以上で、ユーザ情報の登録における撮像システム１００の動作は終了する。このように、撮像した画像を、プリントし、ユーザの携帯電話４００に送信する間にユーザ情報の登録を行うので、待ち時間を有効に活用することができる。
【００６３】
図９（Ａ）は、携帯電話４００に表示された壁紙４０４を示す。図９（Ｂ）は、プリンタ１０６から出力されたシール４１０を示す。このように、ユーザは、撮像ユニット１２０によって撮像された画像を携帯電話４００の携帯電話表示部４０２に表示させる壁紙４０４として取得することができる。画像シール４１０は、プリンタ１０６から出力されたユーザ画像のプリントである。
【００６４】
図１０は、図８の通信確立段階（Ｓ１００）における撮像システム１００の詳細な動作を示すフローチャートである。携帯電話差込口１０４ａ，ｂ，ｃに携帯電話４００が差し込まれると、携帯電話通信部１１２と携帯電話４００との通信が確立する（Ｓ１２０）。次に、携帯電話通信部１１２は、携帯電話差込口１０４ａ，ｂ，ｃに接続された携帯電話４００の電話番号を取得する。複数の携帯電話４００が接続された場合は、各携帯電話４００の電話番号を取得する。携帯電話通信部１１２はまた、携帯電話差込口１０４ａ，ｂ，ｃのうちいずれの差込口に差し込まれたかを示す位置情報を作成し、携帯電話４００の電話番号に対応付けて個人認証データメモリ１１４に送る（Ｓ１２２）。
【００６５】
個人認証データメモリ１１４に電話番号が保持されると、制御部１１６は、個人認証データメモリ１１４に保持される電話番号をＬＣＤモニタ１０２に送る。ＬＣＤモニタ１０２は、受け取った電話番号を表示する（Ｓ１２４）。このように、撮像システム１００は、携帯電話４００の電話番号によって、ユーザを識別することができる。また、ユーザは、ＬＣＤモニタ１０２に表示された内容から、携帯電話４００との通信が確立したことを認識することができる。
【００６６】
図１１は、図８の画像取得段階（Ｓ１０２）における撮像システム１００の詳細な動作を示すフローチャートである。複数の携帯電話４００と通信が確立している場合、すなわちグループユーザの画像を撮像する場合は（Ｓ１４０）、制御部１１６は、個人認証データメモリ１１４に保持された電話番号と位置情報に対応する順番に、各ユーザが並ぶ旨を示す配列情報をＬＣＤモニタ１０２に送る。ＬＣＤモニタ１０２は、配列情報を表示し、ユーザに並ぶ順番を指示する。すなわち、グループユーザの各ユーザの電話番号と対応する順番に、各ユーザが並ぶ旨を各ユーザに示す（Ｓ１４２）。
【００６７】
ユーザは、準備が完了すると、操作部１１０を介して、完了したことを撮像システム１００に通知する（Ｓ１４４）。次に、撮像部１４０は、ユーザの画像を撮像する（Ｓ１４６）。Ｓ１４０で、１人のユーザの画像を撮像する場合は、Ｓ１４６にジャンプする。次に、ユーザは、画像フレーム選択部１４４に保持された画像フレームから、ユーザが所望する画像フレームを選択する（Ｓ１４８）。次に、はめ込み部１４２は、撮像部１４０から受け取った画像を、ユーザに寄って選択された画像フレームにはめ込んで出力用の画像を作成する（Ｓ１５０）。
【００６８】
図１２は、図１１のユーザの並び順を示す段階（Ｓ１４２）においてＬＣＤモニタ１０２に表示される画面を示す。本図のＬＣＤモニタ１０２は、配列情報を表示する。このように、複数のユーザを含むグループユーザの画像を撮像する場合、携帯電話差込口１０４ａ，ｂ，ｃに差し込まれた順に対応する順番に並ぶようユーザに促す。これによって、容易に画像中の複数のユーザ及び各ユーザが所有する携帯電話の電話番号を対応付けることができる。
【００６９】
図１３は、図８のユーザ情報入力段階（Ｓ１０６）における撮像システム１００の詳細な動作を示すフローチャートである。制御部１１６は、個人認証データメモリ１１４に保持される電話番号を抽出する。グループユーザの場合は、グループユーザのうち１人の電話番号を抽出する。制御部１１６は、抽出した電話番号の携帯電話を所有するユーザに対して、ユーザ情報の入力を促す内容をＬＣＤモニタ１０２に表示させる（Ｓ１６０）。
【００７０】
次に、制御部１１６は、抽出した電話番号に対応する位置を示す位置情報を抽出し、音声データメモリ１２４及びプロフィールメモリ１２６に送る（Ｓ１６２）。次に、ＬＣＤモニタ１０２は、プロフィール入力画面を表示する。次に、操作部１１８を介してユーザからの指示を受け付け、制御部１１６は、プロフィールを作成し、プロフィールメモリ１２６に送る。プロフィールメモリ１２６は、受け取ったプロフィールを制御部１１６から受け取った位置情報に対応付けて保持する（Ｓ１６４）。
【００７１】
次に、マイク１０８を介して、ユーザから音声メッセージの入力を受け付ける。次に、音声データメモリ１２４は、音声メッセージを受け取り、制御部１１６から受け取った位置情報に対応付けて保持する（Ｓ１６６）。
【００７２】
次に、制御部１１６は、操作部１１８からの入力に基づいて、電話番号、画像、プロフィール、及び音声メッセージのうち通信網３００に公開すべき公開内容を指定する公開指定情報を作成し、公開内容メモリ１２８に保持させる（Ｓ１６８）。
【００７３】
次のユーザのユーザ情報を入力する場合は（Ｓ１７０）、Ｓ１６０に戻り、ユーザ情報の入力を繰り返す。次に、個人認証データメモリ１１４に保持された電話番号及び位置情報、画像メモリ１２２に保持された画像、音声データメモリ１２４に保持された音声メッセージ、及びプロフィールメモリ１２６に保持されたプロフィールをサーバ通信部１３４に送る（Ｓ１７２）。このように、１画像に対応するユーザ情報がまとめてサーバ通信部１３４に送られるので、１画像に対応するユーザ情報を認識することができる。
【００７４】
またこのように、プロフィール及び音声メッセージは、位置情報に対応付けて保持され、さらに、位置情報は、個人認証データメモリ１１４に保持される電話番号と対応付けられている。従って、プロフィールメモリ１２６及び音声データメモリ１２４にそれぞれ保持されるプロフィール及び音声メッセージは、いずれの電話番号に対応するか認識可能である。
【００７５】
図１４は、図８のユーザ情報入力段階（Ｓ１０６）においてＬＣＤモニタ１０２に表示される画面を示す。このように、これから登録すべきユーザの電話番号が表示される。また、プロフィールは、記入項目が予め定められており、ユーザは、各項目に記入する。また、各項目の左側には、チェックボックスが表示されている。このチェックボックスがチェックされた内容は、公開内容に指定される。このように、ユーザは、ＬＣＤモニタ１０２の表示に沿って、プロフィールを入力できる。ユーザはまた、ＬＣＤモニタ１０２の表示に沿って、公開内容を指定することができる。
【００７６】
図１５は、ユーザ情報を登録するときのサーバシステム２００の動作を示すフローチャートである。サーバシステム２００は、撮像システム通信部２０２を介して、電話番号、位置情報、画像、プロフィール、音声メッセージを受信する（Ｓ２００）。次に、撮像システム通信部２０２は、受信したユーザ情報をサーバシステム制御部２０４に送る。サーバシステム制御部２０４は、受信した電話番号、位置情報、プロフィール、音声メッセージを画像に対応付ける。サーバシステム制御部２０４は、ユーザ情報データベース２０６に保持された電話番号と、撮像システム通信部２０２から受け取ったユーザ情報に含まれる電話番号を比較する（Ｓ２０２）。
【００７７】
ユーザ情報データベース２０６に保持された電話番号と、撮像システム通信部２０２から受け取ったユーザ情報に含まれる電話番号が異なる場合（Ｓ２０４）、サーバシステム制御部２０４は、新たなユーザのユーザ情報であると認識し、ユーザ情報にＩＤ番号を付与する（Ｓ２０６）。次に、サーバシステム制御部２０４は、ＩＤ番号を付与したユーザ情報を、ユーザ情報データベース２０６、プロフィールデータベース２０８、画像データベース２１０、及び音声データベース２１２に保持させる（Ｓ２０８）。
【００７８】
Ｓ２０４で、撮像システム通信部２０２から受け取ったユーザ情報に含まれる電話番号が、ユーザ情報データベース２０６が既に保持している電話番号と一致する場合、サーバシステム制御部２０４は、ユーザ情報データベース２０６に保持された電話番号に対応付けられた画像データ、プロフィール、及び／または音声メッセージを削除し、撮像システム通信部２０２から受け取った画像データ、プロフィールデータ、及び／または音声メッセージに書き換える。
【００７９】
図１６は、撮像システム通信部２０２が、３人のユーザで構成されるグループユーザのユーザ情報を受け取った場合の、図１５の電話番号比較段階（Ｓ２０２）におけるサーバシステム２００の詳細な動作を示すフローチャートである。サーバシステム制御部２０４は、受け取ったユーザ情報に含まれる電話番号のうち、電話番号を１１桁の数字とした場合に一番小さい数になる電話番号を抽出し、この電話番号とユーザ情報データベース２０６に保持された電話番号を比較する（Ｓ２２０）。ユーザ情報データベース２０６に保持されるユーザ情報は、グループユーザの場合、電話番号の小さい順に保持しているので、同一のＩＤを有する複数の電話番号がある場合は、先頭に保持された電話番号と比較すればよい。
【００８０】
ユーザ情報データベース２０６が、サーバシステム制御部２０４が抽出した電話番号と同一の電話番号を保持する場合は（Ｓ２２２）、サーバシステム制御部２０４は、同一の電話番号を含むユーザ情報をユーザ情報データベース２０６から抽出する（Ｓ２２４）。次に、サーバシステム制御部２０４は、撮像システム通信部２０２から受け取ったユーザ情報に含まれる２番目に小さな電話番号を抽出し、ユーザ情報データベース２０６から抽出した各ユーザ情報の２番目に保持される電話番号と比較する（Ｓ２２６）。両者の電話番号が一致した場合（Ｓ２２８）、サーバシステム制御部２０４は、一致した電話番号を含むユーザ情報に含まれる３番目の電話番号と撮像システム通信部２０２から受け取ったユーザ情報に含まれる残りの電話番号を比較する（Ｓ２３０）。両者の電話番号が一致する場合（Ｓ２３２）、撮像システム通信部２０２が受け取ったユーザ情報のグループユーザは、既にユーザ情報データベース２０６に保持されていると判断される（Ｓ２２４）。
【００８１】
Ｓ２１２、Ｓ２１８、及びＳ２２２で、両者の電話番号が一致しない場合は、撮像システム通信部２０２から受け取ったユーザ情報のグループユーザは、新規のグループユーザであると判断される（Ｓ２３６）。このように、グループユーザの場合は、同一の組み合わせのグループユーザが重複して登録するのを避けることができる。
【００８２】
図１７は、ユーザが、ユーザ情報を検索するときの撮像システム１００の動作を示すフローチャートである。ここで、サーバシステム２００にユーザ情報を登録したユーザを登録ユーザ、検索を行うユーザを閲覧ユーザとする。閲覧ユーザは、検索条件を入力する（Ｓ３００）。検索条件は、例えば、性別、住所、年齢、性格などである。次に、サーバ通信部１３４は、検索条件をサーバシステム２００に送信する（Ｓ３０２）。次に、サーバ通信部１３４は、サーバシステム２００から検索条件に合致したユーザ情報を受信する（Ｓ３０４）。次に、ＬＣＤモニタ１０２は、受信したユーザ情報を表示する（Ｓ３０６）。次に、受信したユーザ情報をプリントする場合（Ｓ３０８）、制御部１１６は、プリンタ１０６に対して、検索結果をプリントさせる（Ｓ３１０）。Ｓ３０８で、検索結果をプリントしない場合は、Ｓ３１０をスキップする。以上で、ユーザ情報を検索するときの撮像システム１００の動作が終了する。
【００８３】
図１８は、閲覧ユーザが、ユーザ情報を検索するときのサーバシステム２００の動作を示すフローチャートである。閲覧ユーザが撮像システム１００に検索条件を入力すると、撮像システム通信部２０２は、撮像システム１００から検索条件を受信し、サーバシステム制御部２０４に送る（Ｓ４００）。次に、サーバシステム制御部２０４は、プロフィールデータベース２０８に保持されるプロフィールと検索条件を比較し、検索条件に合致するユーザ情報を抽出する（Ｓ４０２）。このとき、サーバシステム制御部２０４は、プロフィールのうち公開内容及び非公開内容の両方のデータに基づいて、検索条件に合致するユーザ情報を抽出する。このように、非公開内容についても検討するので、検索条件により合致したユーザ情報を抽出することができる。
【００８４】
次に、サーバシステム制御部２０４は、抽出したユーザ情報のうち公開内容に指定されたデータを抽出する（Ｓ４０４）。次に、撮像システム通信部２０２は、抽出した公開内容を撮像システム１００に送信する（Ｓ４０６）。
【００８５】
次に、閲覧ユーザのユーザ情報を、登録ユーザの携帯電話４００に送信する場合は（Ｓ４０８）、サーバシステム制御部２０４は、閲覧ユーザのユーザ情報を携帯電話通信部２１４に送る。携帯電話通信部２１４は、通信網３００を介して、登録ユーザの携帯電話４００に閲覧ユーザのユーザ情報を送信する（Ｓ４１０）。Ｓ４０８で、閲覧ユーザのユーザ情報を登録ユーザの携帯電話４００に送信しない場合は、Ｓ４１０をスキップする。以上で、ユーザ情報を検索するときのサーバシステム２００の動作は終了する。
【００８６】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００８７】
そうした第１の変更例としては、本実施の形態では、撮像システム１００は、グループユーザの画像に対してグループユーザの各ユーザのユーザ情報を対応付けたが、グループユーザの画像に対して１つのプロフィールを入力し、グループユーザの画像に１つのプロフィールを対応付けてもよい。
【００８８】
第２の変更例としては、本実施の形態では、撮像システム１００は、グループユーザの画像に対してグループユーザの各ユーザの電話番号を画像における位置に対応付けたが、グループユーザの画像に対して、各ユーザの電話番号の組み合わせを対応付けてもよい。
【００８９】
第３の変更例としては、本実施の形態における、撮像システム１００と携帯電話４００は、携帯電話差込口１０４ａ，ｂ，ｃを介して通信したが、これに代えて、Ｂｌｕｅｔｏｏｔｈによる通信行ってもよい。この場合、通信の確立した順番に対応して、グループユーザの各ユーザと携帯電話とを対応付けてもよい。また他の形態としては、ユーザは、携帯電話４００から撮像システム１００に電話をかけてもよい。この場合も、通信の確立した順番に対応して、グループユーザの各ユーザと電話番号とを対応付けてもよい。
【００９０】
第４の変更例としては、本実施の形態の携帯電話差込口１０４は、３つ設けられていたが、携帯電話差込口１０４の数は、限定されない。
【００９１】
第５の変更例としては、本実施の形態においては、ユーザは、撮像システム１００でユーザ情報を閲覧したが、撮像システム１００は、インターネット等の通信網を介して複数のユーザにユーザ情報を配信してもよい。
【００９２】
【発明の効果】
上記説明から明らかなように、本発明によればユーザ間の情報交換を仲介し、かつユーザの希望にマッチした情報を各ユーザに提供することができる。
【図面の簡単な説明】
【図１】通信システム全体の概略を示す図である。
【図２】撮像システム１００の外観を示す図である。
【図３】撮像システム１００の概略機能ブロック図である。
【図４】撮像システム１００の撮像ユニット１２０の機能ブロック図である。
【図５】サーバシステム２００の概略機能ブロック図である。
【図６】ユーザ情報データベース２０６に保持されるデータの構成を模式的に示す図である。
【図７】プロフィールデータベース２０８に保持されるデータの構成を模式的に示す図である。
【図８】画像を撮像するときの撮像システム１００の動作を示すフローチャートである。
【図９】プリンタ１０６から出力されたシール４１０及び携帯電話４００に表示された壁紙４０４を示す図である。
【図１０】図８の通信確立段階（Ｓ１００）における撮像システム１００の詳細な動作を示すフローチャートである。
【図１１】  図８の画像取得段階（Ｓ１０２）における撮像システム１００の詳細な動作を示すフローチャートである。
【図１２】図８の通信確立段階（Ｓ１００）においてＬＣＤモニタ１０２に表示される画面を示す。
【図１３】図８のプロフィール入力段階（Ｓ１０６）における撮像システム１００の詳細な動作を示すフローチャートである。
【図１４】図８のプロフィール入力段階（Ｓ１０６）においてＬＣＤモニタ１０２に表示される画面を示す。
【図１５】ユーザ情報を登録するときのサーバシステム２００の動作を示すフローチャートである。
【図１６】撮像システム通信部２０２が、グループユーザのユーザ情報を受け取った場合の、図１５における電話番号比較段階（Ｓ２０２）におけるサーバシステム２００の詳細な動作を示すフローチャートである。
【図１７】ユーザ情報を検索するときの撮像システム１００の動作を示すフローチャートである。
【図１８】ユーザ情報を検索するときのサーバシステム２００の動作を示すフローチャートである。
【符号の説明】
１００…撮像システム    １０２…ＬＣＤモニタ    １０４…携帯電話差込口  １０６…プリンタ    １０８…マイク    １１０…操作部  １１２…携帯電話通信部    １１４…個人認証データメモリ    １１６…制御部    １１８…操作部    １２０…撮像ユニット    １２２…画像メモリ    １２４…音声データメモリ    １２６…プロフィールメモリ    １２８…公開内容メモリ    １３０…検索条件メモリ    １３２…サーバ通信部    １４０…撮像部    １４２…はめ込み部    １４…４画像フレーム選択部    １４６…画像フレーム保持部    ２００…サーバシステム    ２０２…撮像システム通信部    ２０４…サーバシステム制御部    ２０６…ユーザ情報データベース    ２０８…プロフィールデータベース    ２１０…画像データベース    ２１２…音声データベース    ２１４…携帯電話通信部    ３００…通信網    ４００…携帯電話    ４０２…携帯電話表示部    ４０４…壁紙    ４１０…画像シール
【図１】
0003973824.tif 000002
【図２】
0003973824.tif 000003
【図３】
0003973824.tif 000004
【図４】
0003973824.tif 000005
【図５】
0003973824.tif 000006
【図６】
0003973824.tif 000007
【図７】
0003973824.tif 000008
【図８】
0003973824.tif 000009
【図９】
0003973824.tif 000010
【図１０】
0003973824.tif 000011
【図１１】
0003973824.tif 000012
【図１２】
0003973824.tif 000013
【図１３】
0003973824.tif 000014
【図１４】
0003973824.tif 000015
【図１５】
0003973824.tif 000016
【図１６】
0003973824.tif 000017
【図１７】
0003973824.tif 000018
【図１８】
0003973824.tif 000019